(57)【要約】【課題】コストアップすることなく、撮影者の意図しない接触の場合にタッチパネル機能が動作するのを防止できるようにする。【解決手段】ＣＰＵ２４は、光センサ２１によって表示画面に入る光量を所定の時間間隔で読み取って、表示画面の周辺光量に所定以上の変化があるかどうかを判定し、所定以上の変化があった場合には、表示画面に物体が触れた時に、その物体に指紋があるか否かを判定する。さらに、指紋が無い場合は、表示画面に触れた物体の接触面積が所定の面積以下であるか否かを判定し、接触面積が所定の面積以下でない場合には、例えば撮影者の鼻が誤って表示画面に触れてしまったというような意図した接触ではないとして、タッチパネル機能の動作を禁止する。【選択図】図３
2011059887.tif 000002
【特許請求の範囲】
【請求項１】
タッチパネル機能を有する表示装置を備えた電子機器であって、
前記表示装置内にマトリクス状に配置された光センサと、
前記光センサからの光情報に基づいて、光量の変化、前記表示装置の表示画面に触れた物体の指紋の有無、及び前記表示装置の表示画面に触れた物体の接触面積のうち少なくともいずれか一つについて判定し、その結果に基づいて、タッチパネル機能の動作の許可、禁止を決定する制御手段とを備えたことを特徴とする電子機器。
【請求項２】
前記光センサによって前記表示装置の表示画面に入る光量を所定の時間間隔で読み取り、
前記制御手段は、前記光センサによって読み取られた前記表示装置の表示画面に入る光量に、所定の面積以上における所定の光量以上の変化があるかどうかに基づいて、タッチパネル機能の動作の許可、禁止を決定することを特徴とする請求項１に記載の電子機器。
【請求項３】
前記制御手段は、前記表示装置の表示画面に触れた物体の指紋の有無に基づいて、タッチパネル機能の動作の許可、禁止を決定することを特徴とする請求項１又は２に記載の電子機器。
【請求項４】
前記制御手段は、前記表示装置の表示画面に触れた物体の接触面積を演算し、その接触面積に基づいて、タッチパネル機能の動作の許可、禁止を決定することを特徴とする請求項１乃至３のいずれか１項に記載の電子機器。
【請求項５】
前記制御手段は、前記光センサによって読み取られた前記表示装置の表示画面に入る光量に、所定の面積以上における所定の光量以上の変化があり、かつ、前記表示装置の表示画面に触れた物体に指紋がなく、かつ、前記表示装置の表示画面に触れた物体の接触面積が所定の面積より大きいと判定した場合に、タッチパネル機能の動作を禁止することを特徴とする請求項１乃至４のいずれか１項に記載の電子機器。
【請求項６】
前記制御手段は、タッチパネル機能の動作を禁止するとともに前記表示装置を消灯することを特徴とする請求項１乃至５のいずれか１項に記載の電子機器。
【請求項７】
タッチパネル機能を有する表示装置を背面に備えたカメラであることを特徴とする請求項１乃至６のいずれか１項に記載の電子機器。
【請求項８】
タッチパネル機能を有する表示装置を備えた電子機器の制御方法であって、
前記表示装置内にマトリクス状に配置された光センサからの光情報に基づいて、光量の変化、前記表示装置の表示画面に触れた物体の指紋の有無、及び前記表示装置の表示画面に触れた物体の接触面積のうち少なくともいずれか一つについて判定し、その結果に基づいて、タッチパネル機能の動作の許可、禁止を決定することを特徴とする電子機器の制御方法。
【請求項９】
タッチパネル機能を有する表示装置を備えた電子機器を制御するためのプログラムであって、
前記表示装置内にマトリクス状に配置された光センサからの光情報に基づいて、光量の変化、前記表示装置の表示画面に触れた物体の指紋の有無、及び前記表示装置の表示画面に触れた物体の接触面積のうち少なくともいずれか一つについて判定し、その結果に基づいて、タッチパネル機能の動作の許可、禁止を決定する処理をコンピュータに実行させるためのプログラム。
【発明の詳細な説明】
【技術分野】
【０００１】
本発明は、タッチパネル機能を有する表示装置を備えた電子機器、その制御方法及びプログラムに関する。
【背景技術】
【０００２】
近年タッチパネルを用いた表示装置が増加し、カメラにも採用されており、レリーズやカメラの設定等、さまざまな操作を行えるようになっている（特許文献１）。
【０００３】
また、指が触れている位置や面積を感知するセンサ、温度や圧力を感知するセンサをタッチパネル装置に組み込むことにより、これらセンサの判定基準を満たさない場合、すなわち人以外のものや幼児が触れた場合にはタッチパネル装置の誤作動を防止することを特徴とした発明もある（特許文献２）。
【先行技術文献】
【特許文献】
【０００４】
【特許文献１】特開２００６−２０３７７４号公報
【特許文献２】特開２００６−１９５８６４号公報
【発明の概要】
【発明が解決しようとする課題】
【０００５】
しかしながら、上記特許文献２では、スタイラスのように人以外のものでは動作できないという問題点がある。また、複数のセンサを設ける必要があり、そのためのスペースを確保したり、コストアップしたりする等の問題点がある。
【０００６】
本発明は、上記のような点に鑑みてなされたものであり、コストアップすることなく、撮影者の意図しない接触の場合にタッチパネル機能が動作するのを防止できるようにすることを目的とする。
【課題を解決するための手段】
【０００７】
本発明の電子機器は、タッチパネル機能を有する表示装置を備えた電子機器であって、前記表示装置内にマトリクス状に配置された光センサと、前記光センサからの光情報に基づいて、光量の変化、前記表示装置の表示画面に触れた物体の指紋の有無、及び前記表示装置の表示画面に触れた物体の接触面積のうち少なくともいずれか一つについて判定し、その結果に基づいて、タッチパネル機能の動作の許可、禁止を決定する制御手段とを備えたことを特徴とする。
【発明の効果】
【０００８】
本発明によれば、人の指やスタイラス等による使用者が意図した接触の場合にはタッチパネル機能の動作を許可し、人の鼻等による意図しない接触の場合にはタッチパネル機能の動作を禁止ことが可能となる。また、表示装置に内蔵された光センサを用いるので、電子機器の省スペース化やコストダウンを図ることが可能となる。
【図面の簡単な説明】
【０００９】
【図１】本発明の実施形態に係るカメラの外観図である。
【図２】本発明の実施形態に係るカメラの主要構成を示すブロック図である。
【図３】本発明の実施形態におけるタッチパネル機能の誤作動防止処理を説明するためのフローチャートである。
【図４】本発明の実施形態における表示画面への接触物の例を示す図である。
【図５】本発明の実施形態における表示装置の一部拡大図である。
【発明を実施するための形態】
【００１０】
以下、添付図面を参照して、本発明の好適な実施形態について説明する。
図１は、本実施形態に係るカメラ１１の外観図である。図１（ａ）はカメラ１１を背面（撮影者側）から見た図、図１（ｂ）はカメラ１１を前面（レンズ側）から見た図である。１２はファインダであり、通常、撮影者はファインダ１２を目で覗きながら撮影を行う。１３は撮像した画像、設定画面等を表示する表示装置であり、光センサが画素と画素の間に埋め込まれている。１４はカメラ１１の設定を行う操作ダイヤルである。１５はレリーズ釦であり、レリーズ釦１５が押下されることによってカメラ１１は撮像を行う。１６はカメラ１１の撮影モードを切り換えるモードダイヤルである。１７は撮影レンズである。
【００１１】
図２は、本実施形態に係るカメラ１１の主要構成を示すブロック図である。２１は表示装置１３に埋め込まれた光センサである。２２はＲＧＢで構成され、ＴＦＴ液晶や有機ＥＬ等を用いた情報を表示するための表示部（画素）である。
【００１２】
２４はカメラ１１を制御する制御手段としてのＣＰＵである。２３は光センサ２１からの光情報をＣＰＵ２４に入力する光センサスキャン回路部である。２５はＣＰＵ２４からの情報を表示装置１３に表示するための表示装置駆動用回路部である。
【００１３】
ここで、図５は、表示装置１３の画面の一部を拡大した図であり、光センサ２１は、表示装置１３内にマトリクス状に埋め込まれている。また、表示部２２は、表示装置１３のバックライト或いは表示部２２自体の発光によって画像等を表示する。
【００１４】
光センサ２１は、表示画面の周辺光量（外光）とバックライトや表示部２２自体の発光による接触物の反射光の少なくとも２種類の光情報を読み込んで光センサスキャン回路部２３に伝える。光センサスキャン回路部２３は、光センサ２１から受けた光情報（アナログ情報）をディジタル情報に変換してＣＰＵ２４に伝える。
【００１５】
ＣＰＵ２４は、光センサスキャン回路部２３から受けた情報に基づいて、詳しくは後述するタッチパネル機能の誤作動防止機能を実行する。すなわち、実行結果がタッチパネル機能の動作許可であった場合には、カメラ１１の設定変更を行ったり、表示装置１３に表示する情報がある場合はディジタル情報を表示装置駆動用回路部２５に伝えたりする。それに対して、実行結果がタッチパネル機能の動作禁止であった場合には、少なくともカメラ１１の設定変更は行わない。
【００１６】
表示装置駆動用回路部２５は、ＣＰＵ２４から受けたディジタル情報をアナログ情報に変換して表示装置１３に伝える。表示部２２は、表示装置駆動用回路部２５から受けたアナログ情報を表示画面に表示する。
【００１７】
ここで、カメラ１１内のＣＰＵ２４は、接触物の指紋の有無を判定する指紋検出機能と、接触物の接触面積を演算する接触面積演算機能とを有する。
【００１８】
光センサスキャン回路部２３は、所定の時間間隔で光センサ２１を通して表示画面の周辺光量を読み取る。ＣＰＵ２４は、光センサスキャン回路部２３により読み取られる周辺光量に基づいて、所定の面積以上において所定の光量以上の周辺光量の変化があった場合には、表示画面に物体が近づいたと判定する。そして、少なくともその場合には、指紋検出機能による指紋検出と、接触面積演算機能による接触面積の演算とを行う。ここでいう所定の面積とは、特に撮影者がカメラ１１のファインダ１２を覗いた時に撮影者の顔が表示画面を覆う程度の面積のことである。
【００１９】
指紋検出機能と接触面積演算機能とは、表示装置１３の表示画面に物体の接触があった場合に、光センサ２１が読み取った接触物の反射光を光センサスキャン回路部２３がＡ／Ｄ変換してＣＰＵ２４に情報を伝え、ＣＰＵ２４が接触物の指紋の有無の判定や接触面積の演算を行う機能のことである。
【００２０】
図３は、カメラ１１内のＣＰＵ２４のタッチパネル機能の誤作動防止機能を説明するためのフローチャートである。カメラ動作を開始し（ステップＳ３０１）、まず表示装置１３の表示画面が点灯しているか否かを判定する（ステップＳ３０２）。表示画面が点灯していない場合、タッチパネル機能の動作を禁止する（ステップＳ３０７）。表示画面が点灯している場合、光センサ２１によって表示画面に入る光量を所定の時間間隔で読み取って（ステップＳ３０３）、表示画面の周辺光量に所定以上の変化があるかどうかを判定する（ステップＳ３０４）。所定以上の変化とは、上述したように、撮影者の顔が近づいたことによる所定の面積以上における所定の光量以上の変化のことである。
【００２１】
ステップＳ３０４において表示画面に入る光量に所定以上の変化が確認できなかった場合にはタッチパネル機能の動作を許可し（ステップＳ３０８）、所定以上の変化があった場合にはステップＳ３０５に進む。
【００２２】
ここで、図４は表示画面への接触物の例の図であり、４１は指紋、４２は接触面積、４３はスタイラスを表す。ステップＳ３０５では、表示画面に物体が触れた時に、その物体に例えば図４のような指紋４１があるか否かを指紋検出機能からの情報に基づいて判定する。指紋検出機能は、はっきりと個人を特定できる程度の指紋検出の精度は必要とせず、少なくとも接触物に指紋４１があるか否かだけを判定できればよい。ステップＳ３０５において指紋４１がある場合は指であるとし、その場合は使用者の意図した接触としてタッチパネル機能の動作を許可する（ステップＳ３０８）。それに対して、指紋４１が無い場合はステップＳ３０６に進む。
【００２３】
ステップＳ３０６では、表示画面に物体が触れた時に接触面積４２が所定の面積以下であるか否かを接触面積演算機能の演算結果に基づいて判定する。例えば接触面積４２が所定の面積以下である場合には接触物はスタイラス４３であると判定して、タッチパネル機能の動作を許可する（ステップＳ３０８）。それに対して、接触面積４２が所定の面積以下でない場合には、例えば撮影者の鼻が誤って表示画面に触れてしまったというような意図した接触ではないとして、タッチパネル機能の動作を禁止する（ステップＳ３０７）。
【００２４】
なお、ここまで説明した以外に、他の理由によりタッチパネル機能の動作の許可、禁止を制御するようにしても良い。例えば表示装置１３内にマトリクス状に配置された光センサ２１とは別に、撮影の露出を決定するための測光手段を備えておき、測光手段が測光中であるときはタッチパネル機能の動作を禁止するようにしても良い。
【００２５】
また、タッチパネル機能の動作を禁止する場合には、禁止すると共に表示画面を消灯させてもよい。
【００２６】
以上述べたように、人の指やスタイラスが接触したときは、使用者が意図して接触したものと考えられるので、タッチパネル機能の動作を許可する。これにより、意図しない接触の場合にはタッチパネル機能の動作を禁止ことが可能となり、タッチパネル機能による誤作動の低減を図ることができる。例えば撮影者がファインダ１２接眼時に誤って顔の一部、特に鼻が表示画面に触れてしまったときにはタッチパネル機能の動作が禁止されるので、撮影者の意図しない設定、すなわち誤作動を防止することができる。また、表示装置１３内に内蔵された光センサ２１を利用するので、電子機器の省スペース化やコストダウンを図ることが可能となる。
【００２７】
なお、上記実施形態において示す構成は一例に過ぎず、本発明は図示された構成に限定されるものではない。例えば本発明は、複数の機器から構成されるシステムの一部として適用しても、一つの機器からなる装置の一部に適用してもよい。
【００２８】
また、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００２９】
この場合、記憶媒体から読み出されたプログラムコード自体が前述した実施形態の機能を実現することになり、プログラムコード自体及びそのプログラムコードを記憶した記憶媒体は本発明を構成することになる。
【００３０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３１】
また、コンピュータが読み出したプログラムコードを実行することにより、前述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって前述した実施形態の機能が実現されてもよい。
【００３２】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される。
【符号の説明】
【００３３】
１１：カメラ、１２：ファインダ、１３：表示装置、１４：操作ダイヤル、１５：レリーズ釦、１６：モードダイヤル、１７：撮影レンズ、２１：光センサ、２２：表示部、２３：光センサスキャン回路部、２４：ＣＰＵ、２５：表示装置駆動用回路部
【図１】
2011059887.tif 000003
【図２】
2011059887.tif 000004
【図３】
2011059887.tif 000005
【図４】
2011059887.tif 000006
【図５】
2011059887.tif 000007